(57)【要約】【課題】ミスト粒径による使用者の体感の悪化を極力抑えつつ浴室の室温や湿度を速やかに上昇させることが可能で、しかもミストノズルの個数を少なく構成することができるミスト発生装置を提供する。【解決手段】ミスト発生装置１０は、流量が小さくミスト粒径の小さいミストノズル２２，２３と、流量が大きくミスト粒径の大きいミストノズル２１，２４との２種類の仕様のものを組み合わせ、流量の小さいミストノズル２２，２３が内側向きに配置されて自身から噴射するミストが内側に、流量の大きいミストノズル２１，２４が外側向きに配置されて自身から噴射するミストが外側となるような噴射態様にて構成される。【選択図】図１
2017150794.tif 000002
【特許請求の範囲】
【請求項１】
浴室の上部に設置され、複数のミストをミストノズルから前記浴室の空間に向けて噴霧するミスト発生装置であって、前記複数のミストノズルは、粒径の小さいミストを生成する第１ミストノズルと前記第１ミストノズルよりも粒径の大きいミストを生成する第２ミストノズルとを有し、前記第１ミストノズル及び前記第２ミストノズルの相互間において、前記第１ミストノズルから噴射するミストが前記浴室の中央に噴霧し、
前記第２ミストノズルから噴射するミストが前記浴室の壁面方向に噴霧するように配設したことを特徴とするミスト発生装置。
【請求項２】
請求項１に記載のミスト発生装置において、前記第１ミストノズル及び前記第２ミストノズルは、前記浴室の浴槽と洗い場との並設方向及びその並設方向の直交方向の何れにおいても、
前記第１ミストノズルから噴射するミストが前記浴室の中央に噴霧し、
前記第２ミストノズルから噴射するミストが前記浴室の壁面方向に噴霧するように配設したことを特徴とするミスト発生装置。
【請求項３】
請求項１又は２に記載のミスト発生装置において、前記第１ミストノズル及び前記第２ミストノズルは、それぞれ２つずつ用いられ、前記浴室の浴槽と洗い場との並設方向の直交方向に略一列状に配置され、内側向きに前記第１ミストノズルが、外側向きに前記第２ミストノズルがそれぞれ位置するものであり、隣接の前記第１ミストノズル間の間隔は、隣接の前記第１ミストノズル及び第２ミストノズル間の間隔よりも広い寸法にて構成されていることを特徴とするミスト発生装置。
【請求項４】
請求項１〜３の何れか１項に記載のミスト発生装置において、前記第１ミストノズル及び前記第２ミストノズルは、１つのノズルユニットとして構成されていることを特徴とするミスト発生装置。
【請求項５】
請求項４に記載のミスト発生装置において、前記ノズルユニットは、回転軸を有し、前記回転軸により回転することを特徴とするミスト発生装置。
【請求項６】
請求項５に記載のミスト発生装置において、前記回転軸の向きは、鉛直であるか、または前記浴室の天井に対して垂直であることを特徴とするミスト発生装置。
【請求項７】
請求項５又は６に記載のミスト発生装置において、前記浴室内に露出するフロントパネルと、前記フロントパネルに設けられる送気口と、前記送気口の内側に設けられる風向板とを有し、
前記ノズルユニットは前記送気口の内側または近傍に設けられ、
前記第２ミストノズルは第２ミストノズルＡと第２ミストノズルＢとを含み、
前記第２ミストノズルＡと前記第２ミストノズルＢとのミスト噴霧方向は互いに反対方向のベクトル成分を含み、
前記回転軸により前記ノズルユニットが回転し、前記第２ミストノズルＢのミスト噴霧方向が前記風向板側を向いた場合、前記第２ミストノズルＡはミスト噴霧を継続し、前記第２ミストノズルＢはミスト噴霧を停止することを特徴とするミスト発生装置。
【請求項８】
請求項７に記載のミスト発生装置において、
前記第１ミストノズルは第１ミストノズルＡと第１ミストノズルＢとを含み、
前記回転軸により前記ノズルユニットが回転し、前記第１ミストノズルＢのミスト噴霧方向が前記風向板側または前記壁面側を向いた場合、前記第１ミストノズルＡはミスト噴霧を継続し、前記第１ミストノズルＢはミスト噴霧を停止することを特徴とするミスト発生装置。
【請求項９】
請求項１〜８の何れか１項に記載のミスト発生装置において、前記第１ミストノズル及び前記第２ミストノズルの噴射角度よりも隣接のミストノズルとの噴射中心軸間角度の方が広くなるように構成されていることを特徴とするミスト発生装置。
【発明の詳細な説明】
【技術分野】
【０００１】
本発明は、浴室空間にミストノズルからミストを噴霧するミスト発生装置に関する。
【背景技術】
【０００２】
家庭用の浴室の天井部に設置されるミスト発生装置であるミストサウナ装置は、浴室内に露出する吹出口からの温風の吹き出しと共に、吹出口内若しくはその付近に設けられるミストノズルからの温水のミスト噴霧を行って、浴室内でミストサウナ浴を可能とするものである（例えば特許文献１参照）。
【先行技術文献】
【特許文献】
【０００３】
【特許文献１】特開２００８−１８８３１８号公報
【発明の概要】
【発明が解決しようとする課題】
【０００４】
ところで、ミストサウナ装置においては、浴室の室温や湿度を速やかに上昇させることと、ミスト粒径にも配慮して使用者の体感を極力悪化させないこととの両立を図り、浴室空間をいち早く所望のミスト雰囲気とすることが要望の一つとしてある。また、コスト的においても、ミストノズルの個数を極力少なく構成することが望ましい。
【０００５】
本発明の目的は、ミスト粒径による使用者の体感の悪化を極力抑えつつ浴室の室温や湿度を速やかに上昇させることが可能で、しかもミストノズルの個数を少なくし構成することができるミスト発生装置を提供することにある。
【課題を解決するための手段】
【０００６】
上記課題を解決するミスト発生装置は、
浴室の上部に設置され、複数のミストをミストノズルから前記浴室の空間に向けて噴霧するミスト発生装置であって、前記複数のミストノズルは、粒径の小さいミストを生成する第１ミストノズルと前記第１ミストノズルよりも粒径の大きいミストを生成する第２ミストノズルとを有し、前記第１ミストノズル及び前記第２ミストノズルの相互間において、前記第１ミストノズルから噴射するミストが前記浴室の中央に噴霧し、
前記第２ミストノズルから噴射するミストが前記浴室の壁面方向に噴霧するように配設した。
【発明の効果】
【０００７】
本発明のミスト発生装置によれば、
浴室の上部に設置され、複数のミストをミストノズルから前記浴室の空間に向けて噴霧するミスト発生装置であって、前記複数のミストノズルは、粒径の小さいミストを生成する第１ミストノズルと前記第１ミストノズルよりも粒径の大きいミストを生成する第２ミストノズルとを有し、前記第１ミストノズル及び前記第２ミストノズルの相互間において、前記第１ミストノズルから噴射するミストが前記浴室の中央に噴霧し、
前記第２ミストノズルから噴射するミストが前記浴室の壁面方向に噴霧するように配設した、という構成にしたことにより、ミスト粒径による使用者の体感の悪化を極力抑えつつ浴室の室温や湿度を速やかに上昇させることができ、しかもミストノズルの個数を少なく構成することができる、という効果を得ることができる。
【図面の簡単な説明】
【０００８】
【図１】本発明の実施の形態１のミスト発生装置の概略構成図
【図２】同ミスト発生装置の概略構成図
【図３】同ミスト発生装置のミストノズル部分の概略構成図
【図４】同ミスト発生装置のミストノズル部分の概略構成図
【図５】同ミスト発生装置の別例におけるミストノズル部分の概略構成図
【図６】（ａ）同ミスト発生装置の別例によるミストノズル部分の下方から見た概略構成図、（ｂ）同ミスト発生装置の別例におけるミストノズル部分の側方から見た概略構成図
【図７】（ａ）同ミスト発生装置の別例によるミストノズル部分の下方から見た概略構成図、（ｂ）同ミスト発生装置の別例におけるミストノズル部分の側方から見た概略構成図
【発明を実施するための形態】
【０００９】
以下、ミスト発生装置の一実施形態について説明する。
【００１０】
（実施の形態１）
図１に示すように、本実施の形態のミスト発生装置１０は、浴室Ｂ内の天井部Ｂｘに設置され、浴室Ｂの浴槽Ｂａの上方に配置されている。ミスト発生装置１０は、略直方体形状の本体部１１が天井部Ｂｘ内（天井裏）に埋め込まれ、本体部１１の下部に設けられる略矩形板状のフロントパネル１２が浴室Ｂ内に露出する態様をなして天井部Ｂｘに対して取り付けられている。この本体部１１は、天井部Ｂｘ内において、浴室Ｂ外にある温水器から温水を供給する配管と、本体部１１内を通り再び温水器に温水を戻す配管と、水道水（冷水）もしくは温水を供給する配管とがそれぞれ接続されている。尚、温水器及び配管は図示を省略する。
【００１１】
フロントパネル１２は、共に略矩形状をなす吸気口１３と送気口１４とを有している。フロントパネル１２の吸気口１３と送気口１４とは、浴室Ｂ内の浴槽Ｂａと洗い場Ｂｂとが並ぶ方向に並んで設けられ、吸気口１３が浴槽Ｂａ側、送気口１４が洗い場Ｂｂ側に配置されている。ミスト発生装置１０の本体部１１は、フロントパネル１２の吸気口１３から浴室Ｂ内の空気を吸い込み、吸い込んだ空気を内部で加温、湿度調整等を行って送気口１４から調整空気を送り出す。
【００１２】
図３に示すように、ミスト発生装置１０の本体部１１は、熱交換器１５、送風機１６、ダクト１７、及びミストノズル２１、ミストノズル２２、ミストノズル２３、ミストノズル２４等を備えている。
【００１３】
熱交換器１５は、内部に温水器からの温水が循環し、フロントパネル１２の吸気口１３から吸い込まれた空気を加温するものであり、吸い込まれた空気を加温する際に動作する。送風機１６は、電動モータ１６ａにてファン１６ｂを駆動して、吸気口１３、熱交換器１５、ダクト１７、送気口１４を通る空気流を発生する。ダクト１７は、送風機１６にて発生させた空気流を送気口１４に向けて案内する。送気口１４に向けて案内された空気流は、風向板２７により向きを変えられて、浴室Ｂ内に送り出される。
【００１４】
図１、図３及び図４に示すように、送気口１４の開口の若干内側には、４個のミストノズル２１、ミストノズル２２、ミストノズル２３、ミストノズル２４が配置されている。ここで、フロントパネル１２の送気口１４は、吸気口１３と送気口１４とが並ぶ方向と直交する方向に長い矩形状の開口形状をなしている。４つのミストノズル２１〜２４は、このような送気口１４の開口の長手方向（この場合、吸気口１３と送気口１４との並設方向の直交方向であり、更に浴室Ｂ内の浴槽Ｂａと洗い場Ｂｂとの並設方向の直交方向）に並ぶようにして設けられている。ミストノズル２１〜２４は、本体部１１内に配設される供給配管１８とそれぞれ接続されており、外部から供給される温水や冷水が供給される。これにより、ミストノズル２１〜２４は、温ミストや冷ミストを発生させることが可能である。なお、ミストノズル２１〜２４は、断面充円形のミストを生成するものであり、ミストの噴射角度（スプレー角度）が４０〜７０［°］のものを用いている。
【００１５】
また、本実施形態のミストノズル２１〜２４は、一列状に配置される外側方向２つと内側方向２つとで流量（噴霧量）の異なるノズルを用いている。
【００１６】
なお、外側および内側とは、ミスト発生装置１０を基準にする、すなわち、ミスト発生装置１０が天井部Ｂｘ内に設置した場合の内側は浴室Ｂ内の入浴者がいる中央部であり、外側は浴室Ｂの壁面である。また、ミスト発生装置１０が浴室Ｂの壁面に設置した場合の内側も浴室Ｂ内の入浴者がいる中央部であり、外側は浴室Ｂの天井部Ｂｘおよび床面である。
【００１７】
そして、内側向きに配置される第１ミストノズルであるミストノズル２２とミストノズル２３は、流量が０．４〜０．６［ｌ（リットル）］程度のものが用いられ、外側向きに配置される第２ミストノズルであるミストノズル２１とミストノズル２４は、流量が１．１〜１．４［ｌ］程度のものが用いられている。つまり、浴室Ｂ（洗い場Ｂｂ）の床面上の中央領域、即ち使用者が存在する可能性の高い領域には、流量が少ない側のミストノズル２２とミストノズル２３により粒径の小さいミストを噴霧し、浴室Ｂ（洗い場Ｂｂ）の側壁に近い領域、即ち使用者が存在する可能性の低い領域には、流量が多い側のミストノズル２１，２４により粒径の大きいミスト噴霧するようになっている。
【００１８】
ここで、流量が０．４〜０．６［ｌ］のミストノズル２２，２３から噴霧される粒径の小さいミストは、使用者に水滴感を感じさせ難く、体感性が良好なミストである。しかし、同ミストノズル２２，２３のみで浴室Ｂ内の温度及び湿度を所定時間内に速やかに上昇させるには、例えば浴室Ｂの容積等から合計ミスト流量が３．５［ｌ］程度必要とした場合、このミストノズル２２，２３の個数は７個程度必要となり、個数が多く、コスト的にアップになる。
【００１９】
一方、流量が１．１〜１．４［ｌ］のミストノズル２１，２４から噴霧される粒径の大きいミストは使用者に水滴感を感じさせて体感性には好ましいとはいえないミストのみで浴室Ｂ内の温度及び湿度を所定時間内に速やかに上昇させるには、前述したように、例えば合計ミスト流量が３．５［ｌ］程度必要とする浴室Ｂの場合、このミストノズル２１，２４の個数は３個程度となり個数が少なくて済み、コストを抑えることができる。
【００２０】
これらを考慮し、本実施の形態のミスト発生装置１０では、流量が０．４〜０．６［ｌ］と少なく粒径の小さいミストを生成するミストノズル２２、２３と、流量が１．１〜１．４［ｌ］と大きく粒径の大きいミストを生成するミストノズル２１、２４とがそれぞれ２個ずつ組み合わされて構成されている。この組み合わせでは、例えば合計ミスト流量が３．５［ｌ］程度必要とする浴室Ｂに好適なミストの流量を噴霧できる。しかも、ミストノズル２２，２３が内側に、ミストノズル２１とミストノズル２４が外側にそれぞれ配置され、図２に示すように、粒径の小さいミストを噴霧するミストノズル２２、２３は、使用者が存在する可能性の高い浴室Ｂ（洗い場Ｂｂ）の床面上の中央領域に向けて噴霧し、粒径の大きいミストを噴霧するミストノズル２１、２４は使用者が存在する可能性の低い浴室Ｂ（洗い場Ｂｂ）の側壁に近い領域に向けてそれぞれミストを噴霧するようになっている。
【００２１】
つまり、浴室Ｂを使用する使用者に対しては、ミストノズル２２，２３にて生成されるミスト粒径の小さいミストが主として直接的に当たるようになって、体感的に良好である。また、ミストノズル２１，２４にて生成されるミスト粒径の大きいミストは、使用者に直接的に当たり難く、浴室Ｂの室温や湿度を速やかに上昇させることに貢献する。また、このような両立の実現に４個のミストノズル２１〜２４で済むため、その個数が極力少ない構成である。
【００２２】
加えて、図４に示すように、本実施形態においては、一列状に並ぶミストノズル２１〜２４の内、内側のミストノズル２２，２３間の間隔Ｌ１は、隣接する内側のミストノズル２２，２３と外側のミストノズル２１，２４との間の間隔Ｌ２よりも広い寸法設定としている。このようにすることで、内側のミストノズル２２，２３で生じるミスト同士が衝突してミスト粒径が大型化してしまうことが抑えられ、使用者の体感性を低下させてしまうことが抑えられている。
【００２３】
また、図２〜図４に示すように、内側のミストノズル２２，２３の噴射方向は、浴室Ｂ（洗い場Ｂｂ）の床面の中央寄りの所定領域に向けて、即ち使用者に粒径の小さいミストが好適に当たるように下方に向けて互いに平行に設定されているのに対して、外側のミストノズル２１，２４の噴射方向は、内側のミストノズル２２，２３よりもこれらミストノズル２１、ミストノズル２２、ミストノズル２３、ミストノズル２４の並設方向の外側に所定角度θ１（図４参照）、且つ浴槽Ｂａと洗い場Ｂｂの並設方向においても浴槽Ｂａとは反対側に所定角度θ２（図３参照）だけそれぞれ傾斜させている。所定角度θ１，θ２は、例えば１０〜３０［°］に設定される。つまり、外側のミストノズル２１，２４から噴射されるミスト粒径の大きいミストは、浴室Ｂの洗い場Ｂｂにおける浴槽Ｂａとは反対側の角部付近を狙うような設定となっている。このようにすることでも、使用者の体感性を低下させてしまうことが抑えられている。
【００２４】
次に、本実施形態の特徴的な効果を記載する。
【００２５】
（１）本実施形態のミスト発生装置１０では、流量が少なくミスト粒径の小さいミストノズル２２，２３と、流量が多くミスト粒径の大きいミストノズル２１，２４との２種類の仕様のものが組み合わされて用いられる。そして、ミストノズル２２，２３が内側に配置されて自身から噴射するミストが内側に、ミストノズル２１，２４が外側に配置されて自身から噴射するミストが外側となるような噴射態様にて構成される。つまり、使用者にはミストノズル２２，２３からの粒径の小さいミストが主として直接的に当たり、体感的に良好とすることができる。また、ミストノズル２１，２４からの粒径の大きいミストは、使用者に直接的に当たり難く（使用者の体感悪化を抑制）、浴室Ｂの室温や湿度を速やかに上昇させることができる。また、このような両立の実現に４個のミストノズル２１〜２４で済むため、その個数が極力少ない構成とすることができコストアップを抑制できる。
【００２６】
（２）ミストノズル２１〜２４は、浴室Ｂの浴槽Ｂａと洗い場Ｂｂとの並設方向及びその並設方向の直交方向の何れにおいても、ミストノズル２２，２３から噴射するミストが内側に、ミストノズル２１，２４から噴射するミストが外側となるような噴射態様にて構成される。つまり、ミストノズル２２，２３が浴室Ｂ（洗い場Ｂｂ）の床面上の中央領域に向けてミストを噴射すると、ミストノズル２１，ミストノズル２４が浴室Ｂ（洗い場Ｂｂ）の角部付近に向けてミストを噴射する。これにより、使用者に対して粒径の小さいミストを直接的に当てる一方で、粒径の大きいミストを直接的に当てないようにすることをより確実に行うことができる。
【００２７】
（３）略一列状に配置されるミストノズル２１〜２４において、内側にミストノズル２２，２３が、外側にミストノズル２１，２４がそれぞれ位置し、隣接のミストノズル２２，２３間の間隔Ｌ１は、隣接のミストノズル２１，ミストノズル２２（２３，２４）間の間隔Ｌ２よりも広い寸法にて構成される。つまり、ミストノズル２２，ミストノズル２３間の間隔Ｌ１を空けることで、粒径の小さいミスト同士が衝突してミスト粒径が大型化することを抑えることができ、使用者の体感悪化を抑えることができる。
【００２８】
なお、上記実施形態は、以下のように変更してもよい。
【００２９】
上記では特に言及しなかったが、ミストノズル２１、ミストノズル２２、ミストノズル２３、ミストノズル２４を組み込んでユニット化して１つのノズルユニットとしてミストノズルの個数も増やし構成してもよい。この場合、例えば図５に示すように、略半球状のノズルユニット２５として構成してもよい。このようにユニット化すれば、ミスト発生装置１０へのノズルの搭載性が容易となる。
【００３０】
また、図６（ａ）（ｂ）に示すように、ミストノズル２１、ミストノズル２２、ミストノズル２３、ミストノズル２４の噴射角度θ３よりも隣接のミストノズル２１，ミストノズル２２（２２，２３、２３，２４）との噴射中心軸間角度θ４の方が広くなるように構成してもよい。このようにすれば、ミストノズル２１〜２４にて生成したミストが隣接のもの同士で衝突することが抑えられ、衝突によりミスト粒径が大型化すること、即ち使用者の体感を悪化させることが抑えられる。この場合、ミストノズル２６は、第１ミストノズルに相当する。
【００３１】
また、図７（ａ）（ｂ）に示すように、ノズルユニット２５は、回転軸２８を有し、回転軸２８により回転する構成としてもよい。ノズルユニット２５の回転方向は回転方向２９で表す。
【００３２】
このようにすれば、粒径が異なるミストを使用者へ噴霧することができる。このため、使用者の好みに合わせて使用者へ噴霧されるミストの粒径を変化させることができる。例えば、比較的大粒のミストであれば、使用者は比較的シャワーに近い感覚を体感できる。比較的小粒のミストであれば、使用者は比較的やわらかいミスト感覚を体感できる。
【００３３】
また、回転軸２８の向きは、鉛直であるか、または浴室Ｂの天井に対して垂直である構成としてもよい。このようにすれば、使用者へ噴霧されるミストの粒径を変化させるために、使用者がノズルユニット２５を効果的に回転することができる。
【００３４】
また、図７（ａ）（ｂ）の例では、ミスト発生装置１０は、送気口１４の内側に設けられる風向板２７を有していることを図示している。そして、ノズルユニット２５は１例として送気口１４の内側または近傍に設けられる。第２ミストノズルは第２ミストノズルＡ２１’と第２ミストノズルＢ２４’とを含む。第２ミストノズルＡ２１’と第２ミストノズルＢ２４’とのミスト噴霧方向は互いに反対方向のベクトル成分を含んでいる。回転軸２８によりノズルユニット２５が回転し、第２ミストノズルＢ２４’のミスト噴霧方向が風向板２７側を向いた場合、第２ミストノズルＡ２１’はミスト噴霧を継続し、第２ミストノズルＢ２４’はミスト噴霧を停止する。このような構成であってもよい。
【００３５】
このようにすれば、風向板２７側を向いて使用者に当たることが少なくなった第２ミストノズルＢ２４’のミスト噴霧を停止することにより、その他のノズル（第２ミストノズルＡ２１’、第１ミストノズルＡ２２’等）の使用者へのミスト噴霧量を増やすことができる。このため、上述したシャワー感覚またはミスト感覚をさらに向上することができる。
【００３６】
また、図７（ａ）（ｂ）の例に示すように、第１ミストノズルは第１ミストノズルＡ２２’と第１ミストノズルＢ２３’とを含む。回転軸２８によりノズルユニット２５が回転し、
第１ミストノズルＢ２３’のミスト噴霧方向が風向板２７側または浴室Ｂ壁面側を向いた場合、第１ミストノズルＡ２２’はミスト噴霧を継続し、第１ミストノズルＢ２３’はミスト噴霧を停止する。このような構成であってもよい。
【００３７】
このようにすれば、風向板２７側または浴室Ｂ壁面側を向いて使用者に当たることが少なくなった第１ミストノズルＢ２３’のミスト噴霧を停止することにより、その他のノズル（第２ミストノズルＡ２１’、第１ミストノズルＡ２２’等）の使用者へのミスト噴霧量を増やすことができる。このため、上述したシャワー感覚またはミスト感覚をさらに向上することができる。
【００３８】
なお、図７（ａ）（ｂ）とは異なり、第１ミストノズルＢ２３’のミスト噴霧を停止せずに、第２ミストノズルＢ２４’のミスト噴霧を停止させる構成としてもよい。このような構成であっても、シャワー感覚またはミスト感覚を向上することはできる。
【００３９】
また、回転軸２８による回転方向２９の回転範囲は３６０°とは限らず、一部の範囲（例えば、３０°、４５°、６０°、７５°、９０°等の範囲）での回転を含む。
【００４０】
また、ミスト粒径の小さいミストノズル２６をノズルユニット２５の下方側に組み込めばさらに使用者の体感を良くすることができる。
【００４１】
更に、流量の多いミストノズル２１とミストノズル２４を流量の少ないミストノズル２２とミストノズル２３に対して噴射方向を傾けたが、傾ける態様を適宜変更してもよい。また、流量の多いミストノズル２１とミストノズル２４の噴射方向についても、流量の少ないミストノズル２２とミストノズル２３の噴射方向と平行となるように設定してもよい。
【００４２】
また、流量の少ないミストノズル２２，２３間の間隔Ｌ１を流量の多いミストノズル２１とミストノズル２４との間隔Ｌ２よりも広くしたが、例えば全て等間隔にする等、隣接ノズルとの間隔を適宜変更してもよい。
【００４３】
また、ミストノズル２１、ミストノズル２２、ミストノズル２３、ミストノズル２４の個数を４個としたが、ミストの流量が好適であれば３個としてもよい。この場合、流量の少ないミストノズルが１個で中央に配置され、流量の多いミストノズルが２個で両側に配置される。また、ミストノズルを５個以上としてもよい。但し、ミストノズルを増加する態様では、コスト面を考慮してその個数を決定する必要がある。
【００４４】
また、ミストノズル２１、ミストノズル２２、ミストノズル２３、ミストノズル２４に２種類の流量のノズルを用いたが、３種類以上の流量のノズルを用いてもよい。
【００４５】
次に、上記実施形態及び別例から把握できる技術的思想を以下に追記する。
【００４６】
なお、本実施の形態では天井として説明したが、浴室の上部の壁面に設置できる形態でも良い。
【００４７】
（付記１）浴室の上部に設置され、複数のミストをミストノズルから前記浴室の空間に向けて噴霧するミスト発生装置であって、  前記複数のミストノズルは、粒径の小さいミストを生成する第１ミストノズルと、前記第１ミストノズルよりも粒径の大きいミストを生成する第２ミストノズルとを有し、前記第１ミストノズル及び前記第２ミストノズルの相互間において、前記第１ミストノズルから噴射するミストが前記浴室の中央に噴霧し、前記第２ミストノズルから噴射するミストが前記浴室の壁面方向に噴霧するように配設したことを特徴とするミスト発生装置。
【００４８】
（付記２）付記１に記載のミスト発生装置において、前記第１ミストノズル及び前記第２ミストノズルは、前記浴室の浴槽と洗い場との並設方向及びその並設方向の直交方向の何れにおいても、前記第１ミストノズルから噴射するミストが前記浴室の中央に噴霧し、前記第２ミストノズルから噴射するミストが前記浴室の壁面方向に噴霧するように配設したことを特徴とするミスト発生装置。
【００４９】
（付記３）付記１又は２に記載のミスト発生装置において、前記第１ミストノズル及び前記第２ミストノズルは、それぞれ２つずつ用いられ、前記浴室の浴槽と洗い場との並設方向の直交方向に略一列状に配置され、内側向きに前記第１ミストノズルが、外側向きに前記第２ミストノズルがそれぞれ位置するものであり、隣接の前記第１ミストノズル間の間隔は、隣接の前記第１ミストノズル及び第２ミストノズル間の間隔よりも広い寸法にて構成されていることを特徴とするミスト発生装置。
【００５０】
（付記４）付記１〜３の何れか１項に記載のミスト発生装置において、前記第１ミストノズル及び前記第２ミストノズルは、１つのノズルユニットとして構成されていることを特徴とするミスト発生装置。
【００５１】
（付記５）付記４に記載のミスト発生装置において、前記ノズルユニットは、回転軸を有し、前記回転軸により回転することを特徴とするミスト発生装置。
【００５２】
（付記６）付記５に記載のミスト発生装置において、前記回転軸の向きは、鉛直であるか、または前記浴室の天井に対して垂直であることを特徴とするミスト発生装置。
【００５３】
（付記７）付記５又は６に記載のミスト発生装置において、前記浴室内に露出するフロントパネルと、前記フロントパネルに設けられる送気口と、前記送気口の内側に設けられる風向板とを有し、前記ノズルユニットは前記送気口の内側または近傍に設けられ、前記第２ミストノズルは第２ミストノズルＡと第２ミストノズルＢとを含み、前記第２ミストノズルＡと前記第２ミストノズルＢとのミスト噴霧方向は互いに反対方向のベクトル成分を含み、前記回転軸により前記ノズルユニットが回転し、前記第２ミストノズルＢのミスト噴霧方向が前記風向板側を向いた場合、前記第２ミストノズルＡはミスト噴霧を継続し、前記第２ミストノズルＢはミスト噴霧を停止することを特徴とするミスト発生装置。
【００５４】
（付記８）付記７に記載のミスト発生装置において、前記第１ミストノズルは第１ミストノズルＡと第１ミストノズルＢとを含み、前記回転軸により前記ノズルユニットが回転し、前記第１ミストノズルＢのミスト噴霧方向が前記風向板側または前記壁面側を向いた場合、前記第１ミストノズルＡはミスト噴霧を継続し、前記第１ミストノズルＢはミスト噴霧を停止することを特徴とするミスト発生装置。
【００５５】
（付記９）
付記１〜８の何れか１項に記載のミスト発生装置において、前記第１ミストノズル及び前記第２ミストノズルの噴射角度よりも隣接のミストノズルとの噴射中心軸間角度の方が広くなるように構成されていることを特徴とするミスト発生装置。
【産業上の利用可能性】
【００５６】
以上のように、本発明にかかるミスト発生装置は、ミスト粒径による使用者の体感の悪化を極力抑えつつ浴室の室温や湿度を速やかに上昇させることができ、しかもミストノズルの個数を少なく構成することができることに有用である。
【符号の説明】
【００５７】
１０    ミスト発生装置
１１    本体部
１２    フロントパネル
１３    吸気口
１４    送気口
１５    熱交換器
１６    送風機
１６ａ    電動モータ
１６ｂ    ファン
１７    ダクト
１８    供給配管
２１    ミストノズル
２１’    第２ミストノズルＡ
２２    ミストノズル
２２’    第１ミストノズルＡ
２３    ミストノズル
２３’    第１ミストノズルＢ
２４    ミストノズル
２４’    第２ミストノズルＢ
２５    ノズルユニット
２６    ミストノズル
２７    風向板
２８    回転軸
２９    回転方向
【図１】
2017150794.tif 000003
【図２】
2017150794.tif 000004
【図３】
2017150794.tif 000005
【図４】
2017150794.tif 000006
【図５】
2017150794.tif 000007
【図６】
2017150794.tif 000008
【図７】
2017150794.tif 000009